【手続補正書】
【提出日】平成17年4月21日(2005.4.21)
【手続補正１】
【補正対象書類名】明細書
【補正対象項目名】発明の名称
【補正方法】変更
【補正の内容】
【発明の名称】携帯情報機器、携帯型情報機器の制御方法および制御プログラム
【手続補正２】
【補正対象書類名】明細書
【補正対象項目名】特許請求の範囲
【補正方法】変更
【補正の内容】
【特許請求の範囲】
【請求項１】
外部の無線装置から間欠的に送信されるポーリング信号を受信することにより当該外部の無線装置との間で無線データ通信を行うことが可能な無線通信部と、
各種情報を表示する表示部と、前記無線通信部を介して設定された所定の基準時刻からの経過時間に基づいて前記表示部に表示する情報を所定の情報に変更する表示制御部と、
を備えたことを特徴とする携帯型情報機器。
【請求項２】
外部の無線装置から間欠的に送信されるポーリング信号を受信することにより当該外部の無線装置との間で無線データ通信を行うことが可能な無線通信部と、
各種情報を表示する表示部と、前記無線通信部を介して設定された所定の基準時刻に至るまでの残り時間に基づいて前記表示部に表示する情報を所定の情報に変更する表示制御部と、を備えたことを特徴とする携帯型情報機器。
【請求項３】
請求項１または請求項２記載の携帯型情報機器において、
前記変更前の情報は実際の現在時刻を表す現在時刻情報であり、前記所定の情報は前記現在時刻情報とは異なる所定の時刻情報であることを特徴とする携帯型情報機器。
【請求項４】
請求項３記載の携帯型情報機器において、
前記所定の情報を表示してから所定の条件が満たされると前記表示部に表示する情報を現在時刻とすることを特徴とする携帯型情報機器。
【請求項５】
請求項４記載の携帯型情報機器において、
前記所定の条件は、当該携帯型情報機器が対応するアトラクション開始あるいはイベント開始から所定時間が経過した場合であることを特徴とする携帯型情報機器。
【請求項６】
請求項１または請求項２記載の携帯型情報機器において、
前記所定の情報は、イベント予告情報、広告情報あるいはアミューズメント施設へのユーザの来訪を促す情報であることを特徴とする携帯型情報機器。
【請求項７】
請求項１または請求項２記載の携帯型情報機器において、
前記表示部に前記所定の情報が表示されるに伴って、音、光あるいは振動を用いて、前記所定の情報に連動した動作を行う連動動作部を備えたことを特徴とする携帯型情報機器。
【請求項８】
表示部を有する携帯型情報機器の制御方法であって、
外部の無線装置から間欠的に送信されるポーリング信号を受信することにより当該外部の無線装置との間で無線データ通信を行い、前記無線データ通信により設定された所定の基準時刻からの経過時間に基づいて前記表示部に表示する情報を所定の情報に変更する、
ことを特徴とする携帯型情報機器の制御方法。
【請求項９】
表示部を有する携帯型情報機器の制御方法であって、
外部の無線装置から間欠的に送信されるポーリング信号を受信することにより当該外部の無線装置との間で無線データ通信を行い、前記無線データ通信により設定された所定の基準時刻に至るまでの残り時間に基づいて前記表示部に表示する情報を所定の情報に変更する、ことを特徴とする携帯型情報機器の制御方法。
【請求項１０】
請求項８または請求項９記載の携帯型情報機器の制御方法において、前記変更前の情報は実際の現在時刻を表す現在時刻情報であり、前記所定の情報は前記現在時刻情報とは異なる所定の時刻情報であり、前記所定の情報を表示してから所定の条件が満たされると前記表示部に表示する情報を現在時刻とする、ことを特徴とする携帯型情報機器の制御方法。
【請求項１１】
請求項１０記載の携帯型情報機器の制御方法において、
前記所定の条件は、当該携帯型情報機器が対応するアトラクション開始あるいはイベント開始から所定時間が経過した場合であることを特徴とする携帯型情報機器の制御方法。
【請求項１２】
請求項８または請求項９記載の携帯型情報機器の制御方法において、前記所定の情報は、イベント予告情報、広告情報あるいはアミューズメント施設へのユーザの来訪を促す情報である、ことを特徴とする携帯型情報機器の制御方法。
【請求項１３】
請求項８または請求項９記載の携帯型情報機器の制御方法において、前記表示部に前記所定の情報が表示されるに伴って、音、光あるいは振動を用いて、前記所定の情報に連動した動作を行うことを特徴とする携帯型情報機器の制御方法。
【請求項１４】
表示部を有する携帯型情報機器の制御プログラムであって、
前記携帯型情報機器に外部の無線装置から間欠的に送信されるポーリング信号を受信することにより当該外部の無線装置との間で無線データ通信を行わせ、前記無線データ通信により設定された所定の基準時刻からの経過時間に基づいて前記表示部に表示する情報を所定の情報に変更させる、ことを特徴とする制御プログラム。
【請求項１５】
表示部を有する携帯型情報機器の制御プログラムであって、
前記携帯型情報機器に外部の無線装置から間欠的に送信されるポーリング信号を受信することにより当該外部の無線装置との間で無線データ通信を行わせ、前記無線データ通信により設定された所定の基準時刻に至るまでの残り時間に基づいて前記表示部に表示する情報を所定の情報に変更させる、ことを特徴とする制御プログラム。
【手続補正３】
【補正対象書類名】明細書
【補正対象項目名】０００１
【補正方法】変更
【補正の内容】
【０００１】
【発明の属する技術分野】
本発明は、携帯型情報機器、携帯型情報機器の制御方法および制御プログラムに係り、特にディジタル制御により各種情報を表示可能であり、外部とのデータ通信が可能な携帯型情報機器、携帯型情報機器の制御方法および制御プログラムに関する。
【手続補正４】
【補正対象書類名】明細書
【補正対象項目名】０００４
【補正方法】変更
【補正の内容】
【０００４】
従って、非接触ＩＣカードの情報処理機能が有効に生かされてはいないという問題点があった。
そこで、本発明の目的は、非接触ＩＣカードの携帯時において非接触ＩＣカードの情報処理機能を有効に利用し、有用な情報を表示することにより、テーマパークなどのアミューズメント施設において、高い集客効果や宣伝効果を得ることができ、あるいは、アトラクションとユーザとの一体感を高めることができる携帯型情報機器、携帯型情報機器の制御方法および制御プログラムを提供することにある。
【手続補正５】
【補正対象書類名】明細書
【補正対象項目名】００１７
【補正方法】変更
【補正の内容】
【００１７】
［１．３］リーダ／ライタ装置の構成
次に、リーダ／ライタ装置について図３を参照して詳細に説明する。
図３にリーダ／ライタ装置４５の概要構成ブロック図を示す。リーダ／ライタ装置４５は、制御回路４５Ａと、送信回路４５Ｂと、受信回路４５Ｃと、高周波回路４５Ｄと、アンテナ４５Ｅと、を備えて構成されている。
制御回路４５Ａは、リーダ／ライタ装置４５全体を制御する。
送信回路４５Ｂは、制御回路４５Ａの制御下で送信制御信号を生成し出力する。
受信回路４５Ｃは、高周波回路４５Ｄから入力される受信信号を復調して受信データとして制御回路４５Ａに出力する。
高周波回路４５Ｄは、アンテナ４５Ｅを介して外部装置との間で信号の授受を行なう。
この場合において、送信回路４５Ｂから出力される信号の周波数としては、例えば、１３．５６［ＭＨｚ］や１２５［ｋＨｚ］が使用されているが、この出力信号の通信距離は数センチ〜１０数センチ程度に設定されているため、ユーザは腕時計型情報機器５０をアンテナ４５Ｅに近接させて情報通信を行う必要がある。
図４にリーダ／ライタ装置４５をアトラクション施設の入退場ゲートに設置した場合の、入退場ゲートＧの外観斜視図を示す。
図４に示すように、入退場ゲートＧ内には、リーダ／ライタ装置４５が設置され、入退場ゲートＧの一部に、データ通信を行うためのループアンテナとして形成されたアンテナ４５Ｅが内蔵、配置されている。そして、改札口Ｇを通過する際に非接触型ＩＣカード機能を有する腕時計型情報機器５０をユーザが近づけることにより、双方向データ通信を行うように構成している。
ゲート４５Ｆは開閉式の扉であって、ゲート４５Ｆが開状態あるいは閉状態のいずれかにより、利用者が改札口Ｇを通過が許可されているか否か利用者にわかるようになっている。
【手続補正６】
【補正対象書類名】明細書
【補正対象項目名】００１８
【補正方法】変更
【補正の内容】
【００１８】
［１．４］腕時計型情報機器の構成
図５に腕時計型情報機器の概要構成ブロック図を示す。
腕時計型情報機器５０は、アンテナ５０１と、同調用コンデンサ５０２と、復調回路５０３と、変調回路５０４と、中央制御回路５０５と、メモリ５０６と、外部操作入力部５０７と、発振子５０８と、基準信号作成回路５０９と、電池５１０と、鳴音部５１１と、振動部５１２と、発光部５１３と、表示部５１４と、駆動回路５１１Ｄ〜５１４Ｄと、暗号処理回路５１５と、を備えている。
アンテナ５０１は、ループアンテナとして形成されている。
同調コンデンサ５０２は、アンテナ５０１と協働してタンク（tank）回路として機能する。
復調回路５０３は、アンテナ５０１を介して受信したリーダ／ライタ装置４５からの信号を復調して受信データとして出力する。
変調回路５０４は、中央制御回路５０５から入力された送信データを変調してアンテナ５０１を介してリーダ／ライタ装置４５へ送信する。
【手続補正７】
【補正対象書類名】明細書
【補正対象項目名】００２２
【補正方法】変更
【補正の内容】
【００２２】
［１．４．２］
図７に、腕時計型情報機器の断面図を示す。
図７に示すように、腕時計型情報機器５０は、カバーガラス７１とケーシング７２と裏蓋７６とによって形成された筐体内に、アンテナ５０１、通信回路を含むディジタル時計制御ＩＣモジュール７３および回路基板７４を備えて構成されている。
回路基板７４の裏面側（図面下方）には、基準周波数を有する源発振信号を生成するための水晶振動子５０８、腕時計型情報機器５０の各部に電力を供給するための電池５１０およびアンテナ同調用の同調コンデンサＣ１が設けられている。
この回路基板４には、通信を行うための通信回路及びアンテナが形成されている。
そして、ディジタル時計制御ＩＣモジュール７３とカバーガラス７１で規定される空間には、各種情報を表示するための表示部５１４を構成する液晶パネル７５が設けられている。